(57)【要約】【課題】本発明は温度調節可能の箱を開示した。【解決手段】箱本体を含み、前記箱本体の中には前方に開口した保温チャンバが設けられ、前記保温チャンバの開口のところが手動で完全に閉鎖でき、前記箱本体の中には前記保温チャンバの下端に位置しており、且つ前方に開口した選択チャンバが設けられ、前記選択チャンバの内壁には中心に対称的な六つの加熱装置が設けられ、本発明は貯蔵空間内の加熱装置の数量を制御することで、温度コントロールの目的を達成し、物を置くことで自動的に設備を起動し作動させ、操作が便利である。【選択図】図１
2020183853.tif 000002
【特許請求の範囲】
【請求項１】
正面視で、箱本体を含み、前記箱本体の中には前方に開口した保温チャンバが設けられ、前記保温チャンバの開口のところが手動で完全に閉鎖でき、前記箱本体の中には前記保温チャンバの下端に位置しており、且つ前方に開口した選択チャンバが設けられ、前記選択チャンバの内壁には中心に対称的な六つの加熱装置が設けられ、前記選択チャンバの頂端内壁には環状排列のスライド穴が連通しており、前記スライド穴の中には前記加熱装置と当接しているゴム膜が設けられ、前記選択チャンバの中には中心に対称的な六つのスライド溝が設けられ、前記スライド溝の中には支持ロッドがスライドできるように連結され、前記支持ロッドのうち反時計回りの片側と前記スライド溝の内壁との間には抵抗バネが連結され、前記支持ロッドのうち対称中心に隣接する一端には前記加熱装置をコントロールする昇降装置が設けられ、前記支持ロッドのうち時計回り方向の片側には前記昇降装置をコントロールする貼合装置が設けられ、前記保温チャンバの底端内壁には上方に開口した隠れ溝が設けられ、前記隠れ溝の底端内壁には前記昇降装置をコントロールする選択装置がスライドできるように連結されており、
温度の要求により、前記選択装置を変え、物を前記保温チャンバの中に置き、重力によって前記選択装置を下に押し動かし、前記昇降装置の反転が前記貼合装置にコントロールされ、前記昇降装置と前記加熱装置とを噛合し連結し、これにより前記加熱装置を保温チャンバの中まで対応する数量で上に移動させ、加熱し保温することを特徴とする温度調節可能の箱。
【請求項２】
前記加熱装置は前記選択チャンバの内壁に設けられた横梁を含み、前記横梁には斜鋸歯状付き柱がスライドできるように連結され、前記斜鋸歯状付き柱の上端には前記スライド穴とスライドできるように連結された加熱棒が設けられ、前記加熱棒の下側と前記横梁の上側との間には引張バネが連結されており、
前記加熱棒が前記ゴム膜を通し、且つ前記保温チャンバの中に伸びて加熱し、前記加熱棒が前記保温チャンバの中に伸びる数量の違いによって温度をコントロールすることを特徴とする請求項１に記載の温度調節可能の箱。
【請求項３】
前記昇降装置は前記支持ロッドに設けられて対称中心に近接する六角盤を含み、前記六角盤の中には中心に対称的な六つのスライドレールが設けられ、前記スライドレールの中にはスライドロッドがスライドできるように連結され、前記スライドロッドのうち対称中心から離れている側と前記スライドレールの内壁との間には圧縮バネが連結され、前記スライドロッドの上端には前記六角盤の上端に位置している副押しブロックが設けられ、前記スライドロッドの下端には連結ブロックが設けられ、前記連結ブロックの中には下方に開口した貫通溝が設けられ、前記貫通溝の中には固定軸が回転できるように連結され、前記固定軸には前記斜鋸歯状付き柱と噛合し連結された反転ロッドが設けられており、
前記選択装置によってまず前記反転ロッドを円の四分の一に回転させ、そして前記スライドロッドが互い離れている片側の方向にスライドすることにより、前記反転ロッドを移動させ、噛合伝動により前記加熱装置を上に移動させることを特徴とする請求項１または請求項２に記載の温度調節可能の箱。
【請求項４】
前記貼合装置は前記支持ロッドの時計回り側に設けられた開口溝を含み、前記開口溝の中には上下に伸びている回転軸が回転できるように連結され、前記回転軸には回転ロッドが設けられ、前記回転ロッドと前記開口溝との間にはねじりバネが連結され、前記回転ロッドには前記反転ロッドと当接している対称的な押しロッドが設けられ、その中、対称中心に近接する側の前記押しロッドの長さが対称中心から離れている側の前記押しロッドの長さより短く、
前記押しロッドの回転により、前記反転ロッドと前記斜鋸歯状付き柱とを噛合し連結することを特徴とする請求項１または請求項２または請求項３に記載の温度調節可能の箱。
【請求項５】
前記選択装置は前記隠れ溝の底端内壁にスライドできるように連結された伝動ロッドを含み、前記伝動ロッドにはスイッチ板が設けられ、前記スイッチ板の下端と前記隠れ溝の底端内壁との間には抑えバネが連結され、前記伝動ロッドには前記副押しブロックと当接している主押しブロックが設けられ、前記主押しブロックには中心に対称的な六つの昇降ロッドがスライドできるように連結され、前記昇降ロッドの下端には前記反転ロッドと当接している駆動ブロックが設けられ、前記伝動ロッドには前記主押しブロックの上端に位置している二つの引掛り溝が設けられ、前記引掛り溝には前記引掛り溝と当接している引掛りロッドが設けられ、前記引掛りロッドの下端には前記昇降ロッドとスライドできるように連結されたロック解除溝が設けられ、前記昇降ロッドのうち対称中心に近接する側と前記ロック解除溝の内壁との間には復帰バネが連結されており、
温度に対する要求により、手動で対応する数量の前記引掛りロッドを前記引掛り溝の外にスライド出させ、また、前記伝動ロッドが下に移動することにより、前記昇降装置の状態を変えることを特徴とする請求項１または請求項３に記載の温度調節可能の箱。
【発明の詳細な説明】
【技術分野】
【０００１】
本発明は生活用品技術分野を取り上げて、具体的には温度調節可能の箱である。
【背景技術】
【０００２】
現在ほとんどの市販の温度を調節できる貯蔵箱は、実験室の専用設備であり、一般人にとって販売価格が高く、実用性が高くない。従って、便利に操作でき、且つ精確に温度を調節できる箱が発展と伴ってますます必要とされる。
【先行技術文献】
【特許文献】
【０００３】
【特許文献１】中国特許出願公開第１０３６１０５８６号明細書
【発明の概要】
【発明が解決しようとする課題】
【０００４】
本発明の目的は温度調節可能の箱を提供し、それは上記の現在の技術中の問題を解決できる。
【課題を解決するための手段】
【０００５】
本発明の温度調節可能の箱は、箱本体を含み、前記箱本体の中には前方に開口した保温チャンバが設けられ、前記保温チャンバの開口のところが手動で完全に閉鎖でき、前記箱本体の中には前記保温チャンバの下端に位置しており、且つ前方に開口した選択チャンバが設けられ、前記選択チャンバの内壁には中心に対称的な六つの加熱装置が設けられ、前記選択チャンバの頂端内壁には環状排列のスライド穴が連通しており、前記スライド穴の中には前記加熱装置と当接しているゴム膜が設けられ、前記選択チャンバの中には中心に対称的な六つのスライド溝が設けられ、前記スライド溝の中には支持ロッドがスライドできるように連結され、前記支持ロッドのうち反時計回りの片側と前記スライド溝の内壁との間には抵抗バネが連結され、前記支持ロッドのうち対称中心に隣接する一端には前記加熱装置をコントロールする昇降装置が設けられ、前記支持ロッドのうち時計回り方向の片側には前記昇降装置をコントロールする貼合装置が設けられ、前記保温チャンバの底端内壁には上方に開口した隠れ溝が設けられ、前記隠れ溝の底端内壁には前記昇降装置をコントロールする選択装置がスライドできるように連結されており、
温度の要求により、前記選択装置を変え、物を前記保温チャンバの中に置き、重力によって前記選択装置を下に押し動かし、前記昇降装置の反転が前記貼合装置にコントロールされ、前記昇降装置と前記加熱装置とを噛合し連結し、これにより前記加熱装置を保温チャンバの中まで対応する数量で上に移動させ、加熱し保温する。
【０００６】
優選の技術プランとして、前記加熱装置は前記選択チャンバの内壁に設けられた横梁を含み、前記横梁には斜鋸歯状付き柱がスライドできるように連結され、前記斜鋸歯状付き柱の上端には前記スライド穴とスライドできるように連結された加熱棒が設けられ、前記加熱棒の下側と前記横梁の上側との間には引張バネが連結されており、
前記加熱棒が前記ゴム膜を通し、且つ前記保温チャンバの中に伸びて加熱し、前記加熱棒が前記保温チャンバの中に伸びる数量の違いによって温度をコントロールする。
【０００７】
優選の技術プランとして、前記昇降装置は前記支持ロッドに設けられて対称中心に近接する六角盤を含み、前記六角盤の中には中心に対称的な六つのスライドレールが設けられ、前記スライドレールの中にはスライドロッドがスライドできるように連結され、前記スライドロッドのうち対称中心から離れている側と前記スライドレールの内壁との間には圧縮バネが連結され、前記スライドロッドの上端には前記六角盤の上端に位置している副押しブロックが設けられ、前記スライドロッドの下端には連結ブロックが設けられ、前記連結ブロックの中には下方に開口した貫通溝が設けられ、前記貫通溝の中には固定軸が回転できるように連結され、前記固定軸には前記斜鋸歯状付き柱と噛合し連結された反転ロッドが設けられており、
前記選択装置によってまず前記反転ロッドを円の四分の一に回転させ、そして前記スライドロッドが互い離れている片側の方向にスライドすることにより、前記反転ロッドを移動させ、噛合伝動により前記加熱装置を上に移動させる。
【０００８】
優選の技術プランとして、前記貼合装置は前記支持ロッドの時計回り側に設けられた開口溝を含み、前記開口溝の中には上下に伸びている回転軸が回転できるように連結され、前記回転軸には回転ロッドが設けられ、前記回転ロッドと前記開口溝との間にはねじりバネが連結され、前記回転ロッドには前記反転ロッドと当接している対称的な押しロッドが設けられ、その中、対称中心に近接する側の前記押しロッドの長さが対称中心から離れている側の前記押しロッドの長さより短く、
前記押しロッドの回転により、前記反転ロッドと前記斜鋸歯状付き柱とを噛合し連結する。
【０００９】
優選の技術プランとして、前記選択装置は前記隠れ溝の底端内壁にスライドできるように連結された伝動ロッドを含み、前記伝動ロッドにはスイッチ板が設けられ、前記スイッチ板の下端と前記隠れ溝の底端内壁との間には抑えバネが連結され、前記伝動ロッドには前記副押しブロックと当接している主押しブロックが設けられ、前記主押しブロックには中心に対称的な六つの昇降ロッドがスライドできるように連結され、前記昇降ロッドの下端には前記反転ロッドと当接している駆動ブロックが設けられ、前記伝動ロッドには前記主押しブロックの上端に位置している二つの引掛り溝が設けられ、前記引掛り溝には前記引掛り溝と当接している引掛りロッドが設けられ、前記引掛りロッドの下端には前記昇降ロッドとスライドできるように連結されたロック解除溝が設けられ、前記昇降ロッドのうち対称中心に近接する側と前記ロック解除溝の内壁との間には復帰バネが連結されており、
温度に対する要求により、手動で対応する数量の前記引掛りロッドを前記引掛り溝の外にスライド出させ、また、前記伝動ロッドが下に移動することにより、前記昇降装置の状態を変える。
【発明の効果】
【００１０】
本発明は貯蔵空間内の加熱装置の数量を制御することで、温度コントロールの目的を達成し、全体の構造が貯蔵空間の下方に位置しており、物を置くことで自動的に設備を起動し作動させ、資源を浪費しないことを保証する。
【図面の簡単な説明】
【００１１】
下記に図１〜４をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１２】
【図１】図１は本発明の温度調節可能の箱の全体構成略図
【図２】図２は図１のＡ―Ａの構成略図
【図３】図３は図１のＢ―Ｂの構成略図
【図４】図４は図１のＣの拡大構成略図
【発明を実施するための形態】
【００１３】
本発明の温度調節可能の箱は、箱本体１１を含み、前記箱本体１１の中には前方に開口した保温チャンバ１２が設けられ、前記保温チャンバ１２の開口のところが手動で完全に閉鎖でき、前記箱本体１１の中には前記保温チャンバ１２の下端に位置しており、且つ前方に開口した選択チャンバ１９が設けられ、前記選択チャンバ１９の内壁には中心に対称的な六つの加熱装置９０１が設けられ、前記選択チャンバ１９の頂端内壁には環状排列のスライド穴１３が連通しており、前記スライド穴１３の中には前記加熱装置９０１と当接しているゴム膜１４が設けられ、前記選択チャンバ１９の中には中心に対称的な六つのスライド溝３２が設けられ、前記スライド溝３２の中には支持ロッド３１がスライドできるように連結され、前記支持ロッド３１のうち反時計回りの片側と前記スライド溝３２の内壁との間には抵抗バネ３０が連結され、前記支持ロッド３１のうち対称中心に隣接する一端には前記加熱装置９０１をコントロールする昇降装置９０２が設けられ、前記支持ロッド３１のうち時計回り方向の片側には前記昇降装置９０２をコントロールする貼合装置９０３が設けられ、前記保温チャンバ１２の底端内壁には上方に開口した隠れ溝４７が設けられ、前記隠れ溝４７の底端内壁には前記昇降装置９０２をコントロールする選択装置９０４がスライドできるように連結されており、
温度の要求により、前記選択装置９０４を変え、物を前記保温チャンバ１２の中に置き、重力によって前記選択装置９０４を下に押し動かし、前記昇降装置９０２の反転が前記貼合装置９０３にコントロールされ、前記昇降装置９０２と前記加熱装置９０１とを噛合し連結し、これにより前記加熱装置９０１を保温チャンバ１２の中まで対応する数量で上に移動させ、加熱し保温する。
【００１４】
有益的には、前記加熱装置９０１は前記選択チャンバ１９の内壁に設けられた横梁２７を含み、前記横梁２７には斜鋸歯状付き柱２５がスライドできるように連結され、前記斜鋸歯状付き柱２５の上端には前記スライド穴１３とスライドできるように連結された加熱棒２９が設けられ、前記加熱棒２９の下側と前記横梁２７の上側との間には引張バネ２８が連結されており、
前記加熱棒２９が前記ゴム膜１４を通し、且つ前記保温チャンバ１２の中に伸びて加熱し、前記加熱棒２９が前記保温チャンバ１２の中に伸びる数量の違いによって温度をコントロールする。
【００１５】
有益的には、前記昇降装置９０２は前記支持ロッド３１に設けられて対称中心に近接する六角盤３４を含み、前記六角盤３４の中には中心に対称的な六つのスライドレール３３が設けられ、前記スライドレール３３の中にはスライドロッド１７がスライドできるように連結され、前記スライドロッド１７のうち対称中心から離れている側と前記スライドレール３３の内壁との間には圧縮バネ１８が連結され、前記スライドロッド１７の上端には前記六角盤３４の上端に位置している副押しブロック１６が設けられ、前記スライドロッド１７の下端には連結ブロック２０が設けられ、前記連結ブロック２０の中には下方に開口した貫通溝２４が設けられ、前記貫通溝２４の中には固定軸２１が回転できるように連結され、前記固定軸２１には前記斜鋸歯状付き柱２５と噛合し連結された反転ロッド２３が設けられており、
前記選択装置９０４によってまず前記反転ロッド２３を円の四分の一に回転させ、そして前記スライドロッド１７が互い離れている片側の方向にスライドすることにより、前記反転ロッド２３を移動させ、噛合伝動により前記加熱装置９０１を上に移動させる。
【００１６】
有益的には、前記貼合装置９０３は前記支持ロッド３１の時計回り側に設けられた開口溝３９を含み、前記開口溝３９の中には上下に伸びている回転軸３５が回転できるように連結され、前記回転軸３５には回転ロッド３７が設けられ、前記回転ロッド３７と前記開口溝３９との間にはねじりバネ３６が連結され、前記回転ロッド３７には前記反転ロッド２３と当接している対称的な押しロッド３８が設けられ、その中、対称中心に近接する側の前記押しロッド３８の長さが対称中心から離れている側の前記押しロッド３８の長さより短く、
前記押しロッド３８の回転により、前記反転ロッド２３と前記斜鋸歯状付き柱２５とを噛合し連結する。
【００１７】
有益的には、前記選択装置９０４は前記隠れ溝４７の底端内壁にスライドできるように連結された伝動ロッド４５を含み、前記伝動ロッド４５にはスイッチ板２６が設けられ、前記スイッチ板２６の下端と前記隠れ溝４７の底端内壁との間には抑えバネ４６が連結され、前記伝動ロッド４５には前記副押しブロック１６と当接している主押しブロック１５が設けられ、前記主押しブロック１５には中心に対称的な六つの昇降ロッド４２がスライドできるように連結され、前記昇降ロッド４２の下端には前記反転ロッド２３と当接している駆動ブロック２２が設けられ、前記伝動ロッド４５には前記主押しブロック１５の上端に位置している二つの引掛り溝４４が設けられ、前記引掛り溝４４には前記引掛り溝４４と当接している引掛りロッド４３が設けられ、前記引掛りロッド４３の下端には前記昇降ロッド４２とスライドできるように連結されたロック解除溝４０が設けられ、前記昇降ロッド４２のうち対称中心に近接する側と前記ロック解除溝４０の内壁との間には復帰バネ４１が連結されており、
温度に対する要求により、手動で対応する数量の前記引掛りロッド４３を前記引掛り溝４４の外にスライド出させ、また、前記伝動ロッド４５が下に移動することにより、前記昇降装置９０２の状態を変える。
【００１８】
初期状態では、反転ロッド２３が自由に下に振って斜鋸歯状付き柱２５との噛合連結状態から離脱し、全部の加熱棒２９がいずれもゴム膜１４の下端に位置しており、全部の引掛りロッド４３と上端の引掛り溝４４とが当接しており、対称中心に近接する押しロッド３８が開口溝３９の外側に伸び出し、対称中心から離れている側の押しロッド３８が開口溝３９の中に収められる。
【００１９】
装置が作動する時、温度に対する要求により、対応する数量の引掛りロッド４３をスライドさせて上端の引掛り溝との当接状態から離れさせ、また、引掛りロッド４３を下端の引掛り溝４４に当接するまで下に移動させ、温度コントロールの目的を達成し、物を保温チャンバ１２に置いた後、保温チャンバ１２を閉鎖し、重力によってスイッチ板２６を下に押すことによって抑えバネ４６が動力位置エネルギーを貯め、且つ伝動ロッド４５が下に移動し、まず駆動ブロック２２と反転ロッド２３の当接により、反転ロッド２３を円の四分の一に回転させ、その時に反転ロッド２３と対称中心側に近接する押しロッド３８とが当接し、回転ロッド３７を回転させ、対称中心から離れている片側の押しロッド３８が六角盤３４の全体を押し回転させ、反転ロッド２３と斜鋸歯状付き柱２５との間が噛合し伝動するようになると、伝動ロッド４５が続けて下に移動し、主押しブロック１５と副押しブロック１６とを当接させ、且つ副押しブロック１６を押し動かして対称中心側から離れるように移動させ、順にスライドロッド１７と、連結ブロック２０とによって反転ロッド２３を外に移動させ、ネジ山の噛合伝動により斜鋸歯状付き柱２５を上に移動させ、斜鋸歯状付き柱２５が上に移動し、且つ加熱棒２９を押してゴム膜１４に貫通させて保温チャンバ１２の中まで入らせ、加熱し保温する。
【００２０】
作動が終わって貯蔵物を取り出した後、設備の中のバネの弾性が回復することにより、各部品を初期状態に戻らせ、手動で引掛りロッド４３を引き動かして上に移動させ、全部の引掛りロッド４３を改めて上端の引掛り溝４４と当接させ、次回の使用に便利である。
【００２１】
本発明の有益効果は：本発明は貯蔵空間内の加熱装置の数量を制御することで、温度コントロールの目的を達成し、全体の構造が貯蔵空間の下方に位置しており、物を置くことで自動的に設備を起動し作動させ、資源を浪費しないことを保証する。
【００２２】
上記の方式により、本分野の技術員が作動モードにより本発明の範囲内に異なる変更をすることができる。
【図１】
2020183853.tif 000003
【図２】
2020183853.tif 000004
【図３】
2020183853.tif 000005
【図４】
2020183853.tif 000006
【手続補正書】
【提出日】令和1年9月27日(2019.9.27)
【手続補正１】
【補正対象書類名】特許請求の範囲
【補正対象項目名】全文
【補正方法】変更
【補正の内容】
【特許請求の範囲】
【請求項１】
正面視で、箱本体を含み、前記箱本体の中には前方に開口した保温チャンバが設けられ、前記保温チャンバの開口のところが手動で完全に閉鎖でき、前記箱本体の中には前記保温チャンバの下端に位置しており、且つ前方に開口した選択チャンバが設けられ、前記選択チャンバの内壁には中心に対称的な六つの加熱装置が設けられ、前記選択チャンバの頂端内壁には環状排列のスライド穴が連通しており、前記スライド穴の中には前記加熱装置と当接しているゴム膜が設けられ、前記選択チャンバの中には中心に対称的な六つのスライド溝が設けられ、前記スライド溝の中には支持ロッドがスライドできるように連結され、前記支持ロッドのうち反時計回りの片側と前記スライド溝の内壁との間には抵抗バネが連結され、前記支持ロッドのうち対称中心に隣接する一端には前記加熱装置をコントロールする昇降装置が設けられ、前記支持ロッドのうち時計回り方向の片側には前記昇降装置をコントロールする貼合装置が設けられ、前記保温チャンバの底端内壁には上方に開口した隠れ溝が設けられ、前記隠れ溝の底端内壁には前記昇降装置をコントロールする選択装置がスライドできるように連結されており、
温度の要求により、前記選択装置を変え、物を前記保温チャンバの中に置き、重力によって前記選択装置を下に押し動かし、前記昇降装置の反転が前記貼合装置にコントロールされ、前記昇降装置と前記加熱装置とを噛合し連結し、これにより前記加熱装置を保温チャンバの中まで対応する数量で上に移動させ、加熱し保温することができ、
前記加熱装置は前記選択チャンバの内壁に設けられた横梁を含み、前記横梁には斜鋸歯状付き柱がスライドできるように連結され、前記斜鋸歯状付き柱の上端には前記スライド穴とスライドできるように連結された加熱棒が設けられ、前記加熱棒の下側と前記横梁の上側との間には引張バネが連結されており、
前記加熱棒が前記ゴム膜を通し、且つ前記保温チャンバの中に伸びて加熱し、前記加熱棒が前記保温チャンバの中に伸びる数量の違いによって温度をコントロールすることができ、
前記昇降装置は前記支持ロッドに設けられて対称中心に近接する六角盤を含み、前記六角盤の中には中心に対称的な六つのスライドレールが設けられ、前記スライドレールの中にはスライドロッドがスライドできるように連結され、前記スライドロッドのうち対称中心から離れている側と前記スライドレールの内壁との間には圧縮バネが連結され、前記スライドロッドの上端には前記六角盤の上端に位置している副押しブロックが設けられ、前記スライドロッドの下端には連結ブロックが設けられ、前記連結ブロックの中には下方に開口した貫通溝が設けられ、前記貫通溝の中には固定軸が回転できるように連結され、前記固定軸には前記斜鋸歯状付き柱と噛合し連結された反転ロッドが設けられており、
前記選択装置によってまず前記反転ロッドを円の四分の一に回転させ、そして前記スライドロッドが互い離れている片側の方向にスライドすることにより、前記反転ロッドを移動させ、噛合伝動により前記加熱装置を上に移動させられ、
前記貼合装置は前記支持ロッドの時計回り側に設けられた開口溝を含み、前記開口溝の中には上下に伸びている回転軸が回転できるように連結され、前記回転軸には回転ロッドが設けられ、前記回転ロッドと前記開口溝との間にはねじりバネが連結され、前記回転ロッドには前記反転ロッドと当接している対称的な押しロッドが設けられ、その中、対称中心に近接する側の前記押しロッドの長さが対称中心から離れている側の前記押しロッドの長さより短く、
前記押しロッドの回転により、前記反転ロッドと前記斜鋸歯状付き柱とを噛合し連結し、
前記選択装置は前記隠れ溝の底端内壁にスライドできるように連結された伝動ロッドを含み、前記伝動ロッドにはスイッチ板が設けられ、前記スイッチ板の下端と前記隠れ溝の底端内壁との間には抑えバネが連結され、前記伝動ロッドには前記副押しブロックと当接している主押しブロックが設けられ、前記主押しブロックには中心に対称的な六つの昇降ロッドがスライドできるように連結され、前記昇降ロッドの下端には前記反転ロッドと当接している駆動ブロックが設けられ、前記伝動ロッドには前記主押しブロックの上端に位置している二つの引掛り溝が設けられ、前記引掛り溝には前記引掛り溝と当接している引掛りロッドが設けられ、前記引掛りロッドの下端には前記昇降ロッドとスライドできるように連結されたロック解除溝が設けられ、前記昇降ロッドのうち対称中心に近接する側と前記ロック解除溝の内壁との間には復帰バネが連結されており、
温度に対する要求により、手動で対応する数量の前記引掛りロッドを前記引掛り溝の外にスライド出させ、また、前記伝動ロッドが下に移動することにより、前記昇降装置の状態を変えることを特徴とする温度調節可能の箱。
【手続補正２】
【補正対象書類名】明細書
【補正対象項目名】全文
【補正方法】変更
【補正の内容】
【発明の詳細な説明】
【技術分野】
【０００１】
本発明は生活用品技術分野を取り上げて、具体的には温度調節可能の箱である。
【背景技術】
【０００２】
現在ほとんどの市販の温度を調節できる貯蔵箱は、実験室の専用設備であり、一般人にとって販売価格が高く、実用性が高くない。従って、便利に操作でき、且つ精確に温度を調節できる箱が発展と伴ってますます必要とされる。
【先行技術文献】
【特許文献】
【０００３】
【特許文献１】中国特許出願公開第１０３６１０５８６号明細書
【発明の概要】
【発明が解決しようとする課題】
【０００４】
本発明の目的は温度調節可能の箱を提供し、それは上記の現在の技術中の問題を解決できる。
【課題を解決するための手段】
【０００５】
本発明の温度調節可能の箱は、箱本体を含み、前記箱本体の中には前方に開口した保温チャンバが設けられ、前記保温チャンバの開口のところが手動で完全に閉鎖でき、前記箱本体の中には前記保温チャンバの下端に位置しており、且つ前方に開口した選択チャンバが設けられ、前記選択チャンバの内壁には中心に対称的な六つの加熱装置が設けられ、前記選択チャンバの頂端内壁には環状排列のスライド穴が連通しており、前記スライド穴の中には前記加熱装置と当接しているゴム膜が設けられ、前記選択チャンバの中には中心に対称的な六つのスライド溝が設けられ、前記スライド溝の中には支持ロッドがスライドできるように連結され、前記支持ロッドのうち反時計回りの片側と前記スライド溝の内壁との間には抵抗バネが連結され、前記支持ロッドのうち対称中心に隣接する一端には前記加熱装置をコントロールする昇降装置が設けられ、前記支持ロッドのうち時計回り方向の片側には前記昇降装置をコントロールする貼合装置が設けられ、前記保温チャンバの底端内壁には上方に開口した隠れ溝が設けられ、前記隠れ溝の底端内壁には前記昇降装置をコントロールする選択装置がスライドできるように連結されており、
温度の要求により、前記選択装置を変え、物を前記保温チャンバの中に置き、重力によって前記選択装置を下に押し動かし、前記昇降装置の反転が前記貼合装置にコントロールされ、前記昇降装置と前記加熱装置とを噛合し連結し、これにより前記加熱装置を保温チャンバの中まで対応する数量で上に移動させ、加熱し保温する。
【０００６】
優選の技術プランとして、前記加熱装置は前記選択チャンバの内壁に設けられた横梁を含み、前記横梁には斜鋸歯状付き柱がスライドできるように連結され、前記斜鋸歯状付き柱の上端には前記スライド穴とスライドできるように連結された加熱棒が設けられ、前記加熱棒の下側と前記横梁の上側との間には引張バネが連結されており、
前記加熱棒が前記ゴム膜を通し、且つ前記保温チャンバの中に伸びて加熱し、前記加熱棒が前記保温チャンバの中に伸びる数量の違いによって温度をコントロールする。
【０００７】
優選の技術プランとして、前記昇降装置は前記支持ロッドに設けられて対称中心に近接する六角盤を含み、前記六角盤の中には中心に対称的な六つのスライドレールが設けられ、前記スライドレールの中にはスライドロッドがスライドできるように連結され、前記スライドロッドのうち対称中心から離れている側と前記スライドレールの内壁との間には圧縮バネが連結され、前記スライドロッドの上端には前記六角盤の上端に位置している副押しブロックが設けられ、前記スライドロッドの下端には連結ブロックが設けられ、前記連結ブロックの中には下方に開口した貫通溝が設けられ、前記貫通溝の中には固定軸が回転できるように連結され、前記固定軸には前記斜鋸歯状付き柱と噛合し連結された反転ロッドが設けられており、
前記選択装置によってまず前記反転ロッドを円の四分の一に回転させ、そして前記スライドロッドが互い離れている片側の方向にスライドすることにより、前記反転ロッドを移動させ、噛合伝動により前記加熱装置を上に移動させる。
【０００８】
優選の技術プランとして、前記貼合装置は前記支持ロッドの時計回り側に設けられた開口溝を含み、前記開口溝の中には上下に伸びている回転軸が回転できるように連結され、前記回転軸には回転ロッドが設けられ、前記回転ロッドと前記開口溝との間にはねじりバネが連結され、前記回転ロッドには前記反転ロッドと当接している対称的な押しロッドが設けられ、その中、対称中心に近接する側の前記押しロッドの長さが対称中心から離れている側の前記押しロッドの長さより短く、
前記押しロッドの回転により、前記反転ロッドと前記斜鋸歯状付き柱とを噛合し連結する。
【０００９】
優選の技術プランとして、前記選択装置は前記隠れ溝の底端内壁にスライドできるように連結された伝動ロッドを含み、前記伝動ロッドにはスイッチ板が設けられ、前記スイッチ板の下端と前記隠れ溝の底端内壁との間には抑えバネが連結され、前記伝動ロッドには前記副押しブロックと当接している主押しブロックが設けられ、前記主押しブロックには中心に対称的な六つの昇降ロッドがスライドできるように連結され、前記昇降ロッドの下端には前記反転ロッドと当接している駆動ブロックが設けられ、前記伝動ロッドには前記主押しブロックの上端に位置している二つの引掛り溝が設けられ、前記引掛り溝には前記引掛り溝と当接している引掛りロッドが設けられ、前記引掛りロッドの下端には前記昇降ロッドとスライドできるように連結されたロック解除溝が設けられ、前記昇降ロッドのうち対称中心に近接する側と前記ロック解除溝の内壁との間には復帰バネが連結されており、
温度に対する要求により、手動で対応する数量の前記引掛りロッドを前記引掛り溝の外にスライド出させ、また、前記伝動ロッドが下に移動することにより、前記昇降装置の状態を変える。
【発明の効果】
【００１０】
本発明は貯蔵空間内の加熱装置の数量を制御することで、温度コントロールの目的を達成し、全体の構造が貯蔵空間の下方に位置しており、物を置くことで自動的に設備を起動し作動させ、資源を浪費しないことを保証する。
【図面の簡単な説明】
【００１１】
下記に図１〜４をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１２】
【図１】図１は本発明の温度調節可能の箱の全体構成略図
【図２】図２は図１のＡ―Ａの構成略図
【図３】図３は図１のＢ―Ｂの構成略図
【図４】図４は図１のＣの拡大構成略図
【発明を実施するための形態】
【００１３】
本発明の温度調節可能の箱は、箱本体１１を含み、前記箱本体１１の中には前方に開口した保温チャンバ１２が設けられ、前記保温チャンバ１２の開口のところが手動で完全に閉鎖でき、前記箱本体１１の中には前記保温チャンバ１２の下端に位置しており、且つ前方に開口した選択チャンバ１９が設けられ、前記選択チャンバ１９の内壁には中心に対称的な六つの加熱装置９０１が設けられ、前記選択チャンバ１９の頂端内壁には環状排列のスライド穴１３が連通しており、前記スライド穴１３の中には前記加熱装置９０１と当接しているゴム膜１４が設けられ、前記選択チャンバ１９の中には中心に対称的な六つのスライド溝３２が設けられ、前記スライド溝３２の中には支持ロッド３１がスライドできるように連結され、前記支持ロッド３１のうち反時計回りの片側と前記スライド溝３２の内壁との間には抵抗バネ３０が連結され、前記支持ロッド３１のうち対称中心に隣接する一端には前記加熱装置９０１をコントロールする昇降装置９０２が設けられ、前記支持ロッド３１のうち時計回り方向の片側には前記昇降装置９０２をコントロールする貼合装置９０３が設けられ、前記保温チャンバ１２の底端内壁には上方に開口した隠れ溝４７が設けられ、前記隠れ溝４７の底端内壁には前記昇降装置９０２をコントロールする選択装置９０４がスライドできるように連結されており、
温度の要求により、前記選択装置９０４を変え、物を前記保温チャンバ１２の中に置き、重力によって前記選択装置９０４を下に押し動かし、前記昇降装置９０２の反転が前記貼合装置９０３にコントロールされ、前記昇降装置９０２と前記加熱装置９０１とを噛合し連結し、これにより前記加熱装置９０１を保温チャンバ１２の中まで対応する数量で上に移動させ、加熱し保温する。
【００１４】
有益的には、前記加熱装置９０１は前記選択チャンバ１９の内壁に設けられた横梁２７を含み、前記横梁２７には斜鋸歯状付き柱２５がスライドできるように連結され、前記斜鋸歯状付き柱２５の上端には前記スライド穴１３とスライドできるように連結された加熱棒２９が設けられ、前記加熱棒２９の下側と前記横梁２７の上側との間には引張バネ２８が連結されており、
前記加熱棒２９が前記ゴム膜１４を通し、且つ前記保温チャンバ１２の中に伸びて加熱し、前記加熱棒２９が前記保温チャンバ１２の中に伸びる数量の違いによって温度をコントロールする。
【００１５】
有益的には、前記昇降装置９０２は前記支持ロッド３１に設けられて対称中心に近接する六角盤３４を含み、前記六角盤３４の中には中心に対称的な六つのスライドレール３３が設けられ、前記スライドレール３３の中にはスライドロッド１７がスライドできるように連結され、前記スライドロッド１７のうち対称中心から離れている側と前記スライドレール３３の内壁との間には圧縮バネ１８が連結され、前記スライドロッド１７の上端には前記六角盤３４の上端に位置している副押しブロック１６が設けられ、前記スライドロッド１７の下端には連結ブロック２０が設けられ、前記連結ブロック２０の中には下方に開口した貫通溝２４が設けられ、前記貫通溝２４の中には固定軸２１が回転できるように連結され、前記固定軸２１には前記斜鋸歯状付き柱２５と噛合し連結された反転ロッド２３が設けられており、
前記選択装置９０４によってまず前記反転ロッド２３を円の四分の一に回転させ、そして前記スライドロッド１７が互い離れている片側の方向にスライドすることにより、前記反転ロッド２３を移動させ、噛合伝動により前記加熱装置９０１を上に移動させる。
【００１６】
有益的には、前記貼合装置９０３は前記支持ロッド３１の時計回り側に設けられた開口溝３９を含み、前記開口溝３９の中には上下に伸びている回転軸３５が回転できるように連結され、前記回転軸３５には回転ロッド３７が設けられ、前記回転ロッド３７と前記開口溝３９との間にはねじりバネ３６が連結され、前記回転ロッド３７には前記反転ロッド２３と当接している対称的な押しロッド３８が設けられ、その中、対称中心に近接する側の前記押しロッド３８の長さが対称中心から離れている側の前記押しロッド３８の長さより短く、
前記押しロッド３８の回転により、前記反転ロッド２３と前記斜鋸歯状付き柱２５とを噛合し連結する。
【００１７】
有益的には、前記選択装置９０４は前記隠れ溝４７の底端内壁にスライドできるように連結された伝動ロッド４５を含み、前記伝動ロッド４５にはスイッチ板２６が設けられ、前記スイッチ板２６の下端と前記隠れ溝４７の底端内壁との間には抑えバネ４６が連結され、前記伝動ロッド４５には前記副押しブロック１６と当接している主押しブロック１５が設けられ、前記主押しブロック１５には中心に対称的な六つの昇降ロッド４２がスライドできるように連結され、前記昇降ロッド４２の下端には前記反転ロッド２３と当接している駆動ブロック２２が設けられ、前記伝動ロッド４５には前記主押しブロック１５の上端に位置している二つの引掛り溝４４が設けられ、前記引掛り溝４４には前記引掛り溝４４と当接している引掛りロッド４３が設けられ、前記引掛りロッド４３の下端には前記昇降ロッド４２とスライドできるように連結されたロック解除溝４０が設けられ、前記昇降ロッド４２のうち対称中心に近接する側と前記ロック解除溝４０の内壁との間には復帰バネ４１が連結されており、
温度に対する要求により、手動で対応する数量の前記引掛りロッド４３を前記引掛り溝４４の外にスライド出させ、また、前記伝動ロッド４５が下に移動することにより、前記昇降装置９０２の状態を変える。
【００１８】
初期状態では、反転ロッド２３が自由に下に振って斜鋸歯状付き柱２５との噛合連結状態から離脱し、全部の加熱棒２９がいずれもゴム膜１４の下端に位置しており、全部の引掛りロッド４３と上端の引掛り溝４４とが当接しており、対称中心に近接する押しロッド３８が開口溝３９の外側に伸び出し、対称中心から離れている側の押しロッド３８が開口溝３９の中に収められる。
【００１９】
保温チャンバ１２の中の温度を調整しようとするとき、引掛りロッド４３を手動で上端の引掛り溝４４から引き出し、且つ復帰バネ４１を圧迫させ、引掛りロッド４３を押して下方へ下端の引掛り溝４４の位置に移動させ、そして引掛りロッド４３を放し、このとき、引掛りロッド４３は復帰バネ４１の弾力回復で下方へ下端の引掛り溝４４の中に滑り入り、これにより、保温チャンバ１２の中の温度を調整できる。
【００２０】
ものを保温するとき、手動でものを保温チャンバ１２に置き、そして保温チャンバ１２を閉じ、重力によってスイッチ板２６を下方へ押し、抑えバネ４６に動力位置エネルギーを貯めさせ、且つ伝動ロッド４５が下方へ移動し、まず、駆動ブロック２２と反転ロッド２３の当接により、反転ロッド２３を円の四分の一に回転させ、このとき、反転ロッド２３と対称中心側に近接する押しロッド３８とが当接し、回転ロッド３７を回転させ、対称中心から離れている片側の押しロッド３８が六角盤３４の全体を押し回転させ、反転ロッド２３と斜鋸歯状付き柱２５との間が噛合し伝動するようになると、伝動ロッド４５が続けて下に移動し、主押しブロック１５と副押しブロック１６とを当接させ、且つ副押しブロック１６を押し動かして対称中心側から離れるように移動させ、順にスライドロッド１７と、連結ブロック２０とによって反転ロッド２３を外に移動させ、ネジ山の噛合伝動により斜鋸歯状付き柱２５を上に移動させ、斜鋸歯状付き柱２５が上に移動し、且つ加熱棒２９を押してゴム膜１４を貫通させて保温チャンバ１２の中に入らせ、そして加熱棒２９で保温チャンバ１２の中に継続的に加熱を行い、ものに対する保温を可能にする。
【００２１】
保温されたものを取り出した後に、設備の中のバネが弾力によって回復することで、各部品は初期状態に戻り、ここで再び手動で下端の引掛り溝４４の中にある引掛りロッド４３を引き動かして外へ移動させ、引掛りロッド４３に上方へ上端の引掛り溝４４の中に移動させ、このとき、すべての引掛りロッド４３は再び上端の引掛り溝４４と当接し、次回の使用に便利を与える。
【００２２】
本発明の有益効果は：本発明は貯蔵空間内の加熱装置の数量を制御することで、温度コントロールの目的を達成し、全体の構造が貯蔵空間の下方に位置しており、物を置くことで自動的に設備を起動し作動させ、資源を浪費しないことを保証する。
【００２３】
上記の方式により、本分野の技術員が作動モードにより本発明の範囲内に異なる変更をすることができる。